(57)【要約】【課題】浴槽に取り付けられる大きな配管取付部材が邪魔になって入浴がし難くなるのを防止する循環配管の浴槽への接続構造を提供する。【解決手段】浴槽１の底面１１の一部分を他の部分よりも下げることで内部に浴槽１内の入浴空間１ａと連通する下げ底空間１ｂを有する下げ底部３を形成する。追い焚き用の循環配管２の吸入管２１と吐出管２２との一方を下げ底空間１ｂに連通接続すると共に他方を入浴空間１ａに連通接続するか、あるいは、追い焚き用の循環配管２の吸入管２１と吐出管２２とを下げ底空間１ｂに連通接続する。下げ底部３の底壁３２に排水栓４１にて開閉される排水口４を形成する。【選択図】        図１
2010075423.tif 000002
【特許請求の範囲】
【請求項１】
浴槽の底面の一部分を他の部分よりも下げることで内部に浴槽内の入浴空間と連通する下げ底空間を有する下げ底部を形成し、追い焚き用の循環配管の吸入管と吐出管との一方を下げ底空間に連通接続すると共に他方を入浴空間に連通接続し、下げ底部の底壁に排水栓にて開閉される排水口を形成して成ることを特徴とする循環配管の浴槽への接続構造。
【請求項２】
浴槽の底面の一部分を他の部分よりも下げることで内部に浴槽内の入浴空間と連通する下げ底空間を有する下げ底部を形成し、追い焚き用の循環配管の吸入管と吐出管とを下げ底空間に連通接続し、下げ底部の底壁に排水栓にて開閉される排水口を形成して成ることを特徴とする循環配管の浴槽への接続構造。
【請求項３】
筒状をした側壁と底壁とからなる下げ底部としての下げ底ケースを浴槽の底面に設け、吸入管の吸入端部と吐出管の吐出端部とを下げ底ケースの側壁の略対角となる位置に形成して成ることを特徴とする請求項２記載の循環配管の浴槽への接続構造。
【請求項４】
入浴空間と下げ底空間との境界に、上面が入浴空間の底面と略面一となる目皿を設けて成ることを特徴とする請求項１乃至３のいずれか一項に記載の循環配管の浴槽への接続構造。
【請求項５】
目皿となる天蓋と、天蓋から下方に垂下される略筒状をした側壁とからなり、内部が排水栓を収容可能な収容空間となる目皿部材を下げ底空間に配置して成ることを特徴とする請求項４記載の循環配管の浴槽への接続構造。
【請求項６】
目皿をＳＵＳ材又は透光性を有する合成樹脂で形成して成ることを特徴とする請求項４又は５記載の循環配管の浴槽への接続構造。
【発明の詳細な説明】
【技術分野】
【０００１】
本発明は、循環配管の浴槽への接続構造に関するものである。
【背景技術】
【０００２】
従来より、追い焚き用の循環配管が接続される浴槽にあっては、浴槽の側面に取り付けられる配管取付部材に循環配管の端部が取り付けられ、この配管取付部材を介して浴槽水の吸入及び吐出が行われている（例えば特許文献１参照）。
【０００３】
配管取付部材は、浴槽の側面に形成された挿通孔の周囲の端縁に取り付けられ、正面視における内部には、前記浴槽の挿通孔とが連通し、該開口に循環配管の往き管となる吸入管の吸入端部が接続されてなる吸入口と、戻り管となる吐出管の吐出端部が接続されてなる吐出口とが形成される。
【０００４】
この配管取付部材は、吸入管の吸入端部と吐出管の吐出端部とが接続されるため、配管取付部材が大きくて邪魔になって入浴し難い、という欠点があった。また更に、吸入口と吐出口とが近接するため、これらの間で浴槽水のショートパスが起こらないように、吐出口に吸入口と反対側に吐出させるためのカバーを設ける必要があり、カバーが出っ張って邪魔になって入浴し難い、という問題があった。
【特許文献１】特開平１０−９４４９５号公報
【発明の開示】
【発明が解決しようとする課題】
【０００５】
本発明は上記従来の問題点に鑑みて発明したものであって、その目的とするところは、浴槽に取り付けられる大きな配管取付部材が邪魔になって入浴がし難くなるのを防止する循環配管の浴槽への接続構造を提供することを課題とするものである。
【課題を解決するための手段】
【０００６】
上記課題を解決するために請求項１に係る循環配管の浴槽への接続構造にあっては、浴槽１の底面１１の一部分を他の部分よりも下げることで内部に浴槽１内の入浴空間１ａと連通する下げ底空間１ｂを有する下げ底部３を形成し、追い焚き用の循環配管２の吸入管２１と吐出管２２との一方を下げ底空間１ｂに連通接続すると共に他方を入浴空間１ａに連通接続し、下げ底部３の底壁３２に排水栓４１にて開閉される排水口４を形成して成ることを特徴とするものである。
【０００７】
このような構成とすることで、従来のように循環配管２の吸入管２１と吐出管２２との二本の配管が接続される大きな配管取付部材５を取り付ける必要がなく、吸入管２１と吐出管２２との一方が接続される小さな配管取付部材５を取り付ければ済むため、大きな配管取付部材５が邪魔になって入浴し難くくなるのを防止することができる。
【０００８】
また、請求項２に係る循環配管の浴槽への接続構造にあっては、浴槽１の底面１１の一部分を他の部分よりも下げることで内部に浴槽１内の入浴空間１ａと連通する下げ底空間１ｂを有する下げ底部３を形成し、追い焚き用の循環配管２の吸入管２１と吐出管２２とを下げ底空間１ｂに連通接続し、下げ底部３の底壁３２に排水栓４１にて開閉される排水口４を形成して成ることを特徴とするものである。
【０００９】
このような構成とすることで、従来のように循環配管２が接続される配管取付部材５を取り付けずに済むため、配管取付部材５が邪魔になって入浴し難くくなるのを防止することができる。
【００１０】
また、請求項３に係る発明は、請求項２に係る発明において、筒状をした側壁３１と底壁３２とからなる下げ底部３としての下げ底ケース３０を浴槽１の底面１１に設け、吸入管２１の吸入端部２１ａと吐出管２２の吐出端部２２ａとを下げ底ケース３０の側面１２の略対角となる位置に形成して成ることを特徴とするものである。
【００１１】
このような構成とすることで、吸入端部２１ａと吐出端部２２ａとの間で浴槽水のショートパスが起こり難くすることができ、また、仕切りを設けるスペースが形成される。
【００１２】
また、請求項４に係る発明は、請求項１乃至３のいずれか一項に係る発明において、入浴空間１ａと下げ底空間１ｂとの境界に、上面が入浴空間１ａの底面１１と略面一となる目皿６０を設けて成ることを特徴とするものである。
【００１３】
このような構成とすることで、入浴空間１ａの底面を略面一とすることができると共に、大きな異物が下げ底空間１ｂに侵入するのを防止することができる。
【００１４】
また、請求項５に係る発明は、請求項４に係る発明において、目皿６０となる天蓋６１と、天蓋６１から下方に垂下される略筒状をした側壁６２とからなり、内部が排水栓４１を収容可能な収容空間となる目皿部材６を下げ底空間１ｂに配置して成ることを特徴とするものである。
【００１５】
このような構成とすることで、目皿６０を容易に入浴空間１ａの底面１１と略面一に配設することができると共に、排水栓４１を収容可能とすることができる。
【００１６】
また、請求項６に係る発明は、請求項４又は５に係る発明において、目皿６０をＳＵＳ材で形成して成ることを特徴とするものである。
【００１７】
このような構成とすることで、目皿６０を錆び難くすると共に汚れが付着し難くすることができる。
【発明の効果】
【００１８】
本発明にあっては、浴槽に取り付けられる配管取付部材が小さくて済む、あるいは、配管取付部材を取り付けずに済むため、大きな配管取付部材が邪魔になって入浴がし難くなるのを防止することができる。
【発明を実施するための最良の形態】
【００１９】
以下、本発明の循環配管の浴槽への接続構造の一実施形態について図１乃至図４に基づいて説明する。
【００２０】
浴槽１は、図４に示すように、ＦＲＰ等の合成樹脂で形成されるもので、床パンＰ、壁パネルＷ、天井パネルからなる浴室ユニットＵに主に設置されるが、限定されない。浴槽１は内部が入浴空間１ａとなり、その底面１１には、排水穴が形成されるのであるが、本発明においては、図１、図２に示すように、浴槽１の底面１１の一部分を他の部分よりも下げることで、内部に浴槽１内の入浴空間１ａと連通する下げ底空間１ｂを有する下げ底部３に排水穴が形成されるもので、下げ底部３については後述する。
【００２１】
浴槽１には、追い焚き用の循環配管２が接続される。循環配管２は、浴槽１から給湯器に向かって浴槽水を流す吸入管２１と、給湯器から浴槽１に向かって浴槽水を流す吐出管２２とからなり、吸入管２１の吸入端部２１ａと吐出管２２の吐出端部２２ａとがそれぞれ浴槽１に接続される。本実施形態では、図２、図４に示すように、吸入管２１と吸入管２１のうちの一方が入浴空間１ａに連通し且つ他方が下げ底空間１ｂに連通するように設けられる。この場合、浴槽１の側面１２に吸込口１３（又は吐出口１４）が形成されると共に下げ底部３に吐出口１４（又は吸込口１３）が形成され、吸込口１３に吸入管２１の吸入端部２１ａが接続されると共に、吐出口１４に吐出管２２の吐出端部２２ａが接続される。吸込口１３及び吐出口１４は、浴槽１の短辺側の側面１２または長辺側の側面１２のいずれに設けてあってもよく、また、ステップを有する浴槽１の場合には、ステップの蹴込部に設けてあってもよい。なお循環配管２は、本実施形態では追い焚き用であるが、ジェットバス装置等、特に限定されないものである。
【００２２】
吸込口１３には、金網等からなるフィルターが設けられ、異物が吸込口１３から吸い込まれ吸入管２１を介して給湯器に侵入するのが防止される。
【００２３】
浴槽１の側面１２の吐出口１４には、図４に示すように、吐出口１４に配管取付部材５が取り付けられる。配管取付部材５は、吐出口１４を覆うように浴槽１の内面に取り付けられるもので、本実施形態では厚みが１０ｍｍ以下の金属で形成され、中央部に形成される挿通口を吐出口１４に連通させる。配管取付部材５の厚みを１０ｍｍ以下とすることで、入浴する際に配管取付部材５が邪魔になるのを防止することができる。
【００２４】
また、配管取付部材５の表側（入浴空間１ａ側）には、回動可能な羽根からなるルーバーが設けてあってもよく、これにより、ルーバーを回動させて羽根のなす角度を調節して、所望の吐出角度を得ることが可能となる。また前記ルーバーに代えて、配管取付部材５の吐出口１４の表側に、傾斜した羽根を有し吐出口１４の周方向に回転するカバーが設けてあってもよく、これにより、カバーを回動させて羽根のなす角度を調節して、所望の吐出角度を得ることが可能となる。
【００２５】
以下、下げ底空間１ｂについて説明する。下げ底部３は、図１に示すように、浴槽１の底面１１の一部分が他の部分よりも下方に位置してなる底壁３２と、該底壁３２の周囲から筒状に立ち上がる側壁３１とからなり、側壁３１の上端縁は浴槽１の底面１１の他の部分に連続し、底壁３２と側壁３１とで囲まれる内部の空間が下げ底空間１ｂとなる。
【００２６】
下げ底部３は、本実施形態では略円筒状をした側壁３１と底壁３２とからなる有底筒状の下げ底ケース３０にて構成されるもので、下げ底ケース３０を浴槽１の底面１１に設けて、その内部を下げ底空間１ｂとするのであるが、下げ底ケース３０は浴槽１と一体に形成しても別体に形成してもよい。一体に形成することで、下げ底ケース３０を浴槽１と別体にした場合に下げ底ケース３０を取り付ける手間が省くことができる。別体に形成する場合には、合成樹脂の他にＳＵＳ材等の金属で形成してもよく、浴槽１の底面１１に形成される取付孔にリング状ネジやビス等の固定具によりパッキンを介して固定される。別体に形成することで、下げ底ケース３０を浴槽１と一体に形成する場合と比べて下げ底ケース３０の設計・製造上の形状や材質等の制約が少なくなって自由度が上がるものであり、ＳＵＳ材で形成することで、下げ底ケース３０が錆び難くなると共に汚れが付着し難くなる。
【００２７】
本実施形態では、下げ底ケース３０の側壁３１に吸込口１３が形成されると共に、該吸込口１３に接続される吸入管２１の吸入端部２１ａにフィルター（図示せず）が設けてあり、該フィルターにより吸入管２１から異物が吸入されるのが防止される。
【００２８】
下げ底ケース３０の底壁３２には、排水口４及び排水栓４１からなる排水手段が設けてある。排水栓４１は排水口４を開閉自在に閉塞するもので、ポップアップ栓やヒートン栓が好適に用いられる。そして、排水口４の下部には排水トラップ７が設けてあり、下げ底部３と排水トラップ７とをまとめて配置して配置スペースが節約できる。図１、図２中の符号７１は排水管を示す。
【００２９】
また、入浴空間１ａと下げ底空間１ｂとの境界には、上面が入浴空間１ａの底面１１と略面一となる目皿６０が設けられる。目皿６０は、ＳＵＳ材等の金属か透光性を有する合成樹脂で形成される。目皿６０がＳＵＳ材で形成される場合には、目皿６０が錆び難くなると共に汚れが付着し難くなる。また、目皿６０が透光性を有する合成樹脂で形成される場合には、内部にごみが溜まっているか否か等が目皿６０を外さなくても分かる。目皿６０を設けたことで、入浴空間１ａの底面を略面一とすることができると共に、大きな異物が下げ底空間１ｂに侵入するのを防止することができる。
【００３０】
目皿６０には、浴槽水が挿通する開口６３が貫通形成される。また、排水栓４１としてヒートン栓が用いられる場合には、ヒートン栓に接続されるチェーンが挿通するチェーン挿通口６５が目皿６０に形成される。図１、図２中の符号４２はリース線を示し、符号４３は操作部を示す。
【００３１】
以上のような構成の本実施形態においては、循環配管２の吸入管２１と吐出管２２の二本の配管のうち、一方の配管を下げ底空間１ｂに連通させるように設けたことで、両方の配管を浴槽１内の入浴空間１ａに連通させる必要がなく、従来のように両方の配管が接続される大きな配管取付部材５を取り付ける必要がなく、一方が接続される小さな配管取付部材５を取り付ければ済むため、大きな配管取付部材５が邪魔になって入浴し難くくなるのを防止することができる。また、従来の配管取付部材５のように吸入口と吐出口とが近接することによる浴槽水のショートパスを防止すべく、吐出口から浴槽水を吸入口と反対側に吐出させるためのカバーを設ける必要もなく、カバーが出っ張って邪魔になって入浴し難いということもない。
【００３２】
次に、他の実施形態について図５乃至図１０に基づいて説明する。なお、本実施形態は図１乃至図４に示す上実施形態と大部分において同じであるため、同じ部分については同符号を付して説明を省略し、主に異なる部分について説明する。本実施形態では、追い焚き用の循環配管２の吸入管２１と吐出管２２の両方を下げ底空間１ｂに連通接続する点で上実施形態と異なっている。
【００３３】
本実施形態では、下げ底ケース３０の側壁３１に吸込口１３と吐出口１４とが形成される。吸込口１３と吐出口１４は、平面視において略円形状をした側壁６２の互いに略対角となる位置、すなわち平面視において側壁６２の中心を挟んで両側に対向する位置に形成される。
【００３４】
また本実施形態では、目皿６０となる天蓋６１と、天蓋６１から下方に垂下される略筒状をした側壁６２とからなり、内部が排水栓４１を収容可能な収容空間となる目皿部材６が下げ底空間１ｂに設けられる。目皿部材６は、ＳＵＳ材等の金属か透光性を有する合成樹脂で形成される。目皿部材６がＳＵＳ材で形成される場合には、目皿部材６が錆び難くなると共に汚れが付着し難くなる。また、目皿部材６が透光性を有する合成樹脂で形成される場合には、内部にごみが溜まっているか否か等が目皿部材６を外さなくても分かる。
【００３５】
目皿部材６の天蓋６１には、浴槽水が挿通する開口６３が貫通形成されると共に、目皿部材６の側壁６２にも、浴槽水が挿通する開口６４が貫通形成される。本実施形態では、目皿部材６の側壁６２の前記吸込口１３と吐出口１４とに対応する位置に開口６４が貫通形成されるもので、吸込口１３に対応する部分に吸込開口６４ａが形成されると共に、吐出口１４に対応する部分に吐出開口６４ｂが形成され、吸込口１３と吸込開口６４ａとが連通すると共に吐出口１４と吐出開口６４ｂが連通するように目皿部材６が設置される。
【００３６】
また、目皿部材６の天蓋６１には、吸込口１３に近接する部分に吸込開口６３ａが形成されると共に、吐出口１４に近接する部分に吐出開口６３ｂが形成される。
【００３７】
本実施形態では、目皿６０に、下げ底空間１ｂ内を吸入管２１が接続された側と吐出管２２が接続された側、すなわち、吸込開口６３ａが形成された側と吐出開口６３ｂが形成された側とに仕切る板状の仕切り８が設けてある。これにより、吸入端部２１ａと吐出端部２２ａとの間で浴槽水のショートパスが起こるのを防止することができる。
【００３８】
また本実施形態では、天蓋６１に形成される吸込開口６３ａと吐出開口６３ｂは、天蓋６１の周縁部近傍の略対角となる位置にそれぞれ略円弧状に形成されていて、天蓋６１の下面の前記略円弧状をした吸込開口６３ａと吐出開口６３ｂの内端縁と、仕切り８の下端中央部とを結ぶ略逆円錐状をした浴槽水ガイド９が設けてある。浴槽水ガイド９を設けたことで、天蓋６１の吸込開口６３ａから側壁６２の吸込開口６４ａにかけて流れる浴槽水と、側壁６２の吐出開口６４ｂから天蓋６１の吐出開口６３ｂにかけて流れる浴槽水がスムーズに流れるようになる。
【００３９】
また、天蓋６１の吸込開口６３ａから側壁６２の吸込開口６４ａにかけての流路の途中や、側壁６２の吐出開口６４ｂから天蓋６１の吐出開口６３ｂにかけての流路の途中には、それぞれフィルターを設けてもよく、これにより、入浴空間１ａと下げ底空間１ｂとの間の異物の移動や、吸入管２１から異物が吸入されるのを防止することができる。
【００４０】
以上のような構成の本実施形態においては、循環配管２の吸入管２１と吐出管２２の両方を下げ底空間１ｂに連通させるように設けたことで、従来のように配管取付部材５を取り付ける必要がなく、配管取付部材５が邪魔になって入浴し難くくなるのを防止することができる。また、従来の配管取付部材５のように吸入口と吐出口とが近接することによる浴槽水のショートパスを防止すべく、吐出口から浴槽水を吸入口と反対側に吐出させるためのカバーを設ける必要もなく、カバーが出っ張って邪魔になって入浴し難いということもない。
【図面の簡単な説明】
【００４１】
【図１】本発明の一実施形態の要部断面図である。
【図２】同上の浴槽の断面図である。
【図３】同上の浴槽の平面図である。
【図４】同上の浴槽の透過した斜視図である。
【図５】他の実施形態の浴槽の断面図である。
【図６】同上の要部断面図である。
【図７】同上の浴槽の透過した平面図である。
【図８】同上の浴槽の透過した斜視図である。
【図９】同上の目皿部材の透過した斜視図である。
【図１０】同上の目皿部材の断面図である。
【符号の説明】
【００４２】
１    浴槽
１ａ  入浴空間
１ｂ  下げ底空間
１１  底面
１２  側面
１３  吸込口
１４  吐出口
２    循環配管
２１  吸入管
２１ａ  吸入端部
２２  吐出管
２２ａ  吐出端部
３    下げ底部
３０  下げ底ケース
３１  側壁
３２  底壁
４    排水口
４１  排水栓
５    配管取付部材
６    目皿部材
６０  目皿
６１  天蓋
６２  側壁
６３  開口
６３ａ  吸込開口
６３ｂ  吐出開口
６４  開口
６４ａ  吸込開口
６４ｂ  吐出開口
７    排水トラップ
８    仕切り
９    ガイド
Ｕ    浴室ユニット
Ｐ    床パン
Ｗ    壁パネル
【図１】
2010075423.tif 000003
【図２】
2010075423.tif 000004
【図３】
2010075423.tif 000005
【図４】
2010075423.tif 000006
【図５】
2010075423.tif 000007
【図６】
2010075423.tif 000008
【図７】
2010075423.tif 000009
【図８】
2010075423.tif 000010
【図９】
2010075423.tif 000011
【図１０】
2010075423.tif 000012